(57)【要約】【課題】  持ち運ぶときの指の痛みを防止できるとともに、取手強度を高めることができる外装箱の提供を提供する。【解決手段】本発明の外装箱１は、一側面に形成された押し込み部２３をそれぞれ内側に向けて押し込んで取手孔２１を形成しており、押し込み部２３の周囲には折り部２７を残して周囲を囲む切れ目２９が形成されており、折り部２７には押し込み部２３の折り込みを案内する第１折り線３１と、第１折り線３１に並んで形成した第２折り線３３とが設けてあり、押し込み部２３を内側に押し込んだときに折り部２７に第１折り線３１と第２折り線３３とで囲まれる指受け面３７を形成する。【選択図】図４
2005082198.tif 000002
【特許請求の範囲】
【請求項１】
一側面に形成された押し込み部をそれぞれ内側に向けて押し込んで取手孔を形成する外装用紙箱において、押し込み部の周囲には折り部を残して周囲を囲む切れ目が形成されており、折り部には押し込み部の折り込みを案内する第１折り線と、第１折り線に並んで形成した第２折り線とを備え、押し込み部を内側に押し込んだときに折り部に第１折り線と第２折り線とで囲まれる指受け面を形成することを特徴とする外装箱。
【請求項２】
第１折り線は直線状であり、第２折り線は円弧であり、第２折り線は第１折り線の両端部間に形成されていることを特徴とする請求項１に記載の外装箱。
【請求項３】
第１折り線及び第２折り線は円弧で且つ互いに円弧の凹みを対向して配置してあり、第２折り線は第１折り線の両端間に形成されていることを特徴とする請求項１に記載の外装箱。
【請求項４】
第２折り線は複数あり、それぞれ第１折り線の両端間に形成されていることを特徴とする請求項１〜３のいずれか一項に記載の外装箱。
【請求項５】
第１折り線の両端部には、切れ目の端に形成されて折り部の折り込みを案内する補助切欠きが形成されていることを特徴とする請求項１〜４のいずれか一項に記載の外装箱。
【請求項６】
面体をプレスして面体の輪郭により、第１折り線と第２折り線とが形成してあることを特徴とする請求項１〜５のいずれか一項に記載の外装箱。
【発明の詳細な説明】
【技術分野】
【０００１】
本発明は、複数の缶入り飲料を外装し持ち運び可能としてあるいわゆるマルチパック包装等の外装箱に関する。
【背景技術】
【０００２】
この種の外装箱として、特許文献１及び特許文献２には、外装箱の一側面に対向配置した取手孔を形成し、取手孔に指を入れて持ち運び可能としてある構成が開示されている。
【０００３】
これらの特許文献１及び２に開示の技術では、図８及び図９に示すように、取手孔には、押し込み部９０の周囲に切り込み線９２と折り線９４が形成してあり、折り線９４から押し込み部９０を外装箱の内側に折り曲げて押し込み部９０を外装箱の内側に押し込むことにより、取手孔９６を形成し、取手孔９６に指Ｓを入れるようになっている。
【０００４】
【特許文献１】特開２００２−９６８１７号公報
【特許文献２】特開２０００−３５１１６６号公報
【発明の開示】
【発明が解決しようとする課題】
【０００５】
しかし、取手孔９６に指Ｓを入れて、外装箱を持ち運ぶ場合に、外装箱に作用する荷重が線条の折り線９４にかかり、線条の折り線９４に当てている指Ｓが局所的な荷重を受けて痛みを受け易いという問題がある。
【０００６】
また、外装箱に作用する荷重は外装箱を受けている指Ｓに当接している折り線９４にかかるため、折り線９４には応力が集中して、折り線９４が破断しやすいという問題がある。即ち、取手強度が劣るという問題がある。
【０００７】
そこで、本発明は、外装箱を持ち運ぶときの指の痛みを防止できるとともに、取手強度を高めることができる外装箱の提供を目的とする。
【課題を解決するための手段】
【０００８】
請求項１に記載の発明は、一側面に形成された押し込み部をそれぞれ内側に向けて押し込んで取手孔を形成する外装用紙箱において、押し込み部の周囲には折り部を残して周囲を囲む切れ目が形成されており、折り部には押し込み部の折り込みを案内する第１折り線と、第１折り線に並んで形成した第２折り線とを備え、押し込み部を内側に押し込んだときに折り部に第１折り線と第２折り線とで囲まれる指受け面を形成することを特徴とする。
【０００９】
請求項２に記載の発明は、請求項１に記載の発明において、第１折り線は直線状であり、第２折り線は円弧であり、第２折り線は第１折り線の両端部間に形成されていることを特徴とする。
【００１０】
請求項３に記載の発明は、請求項１に記載の発明において、第１折り線及び第２折り線は円弧で且つ互いに円弧の凹みを対向して配置してあり、第２折り線は第１折り線の両端間に形成されていることを特徴とする。
【００１１】
請求項４に記載の発明は、請求項１〜３のいずれか一項に記載の発明において、第２折り線は複数あり、それぞれ第１折り線の両端間に形成されていることを特徴とする。
【００１２】
請求項５に記載の発明は、請求項１〜４のいずれか一項に記載の発明において、第１折り線の両端部には、切れ目の端に形成されて折り部の折り込みを案内する補助切欠きが形成されていることを特徴とする。
【００１３】
請求項６に記載の発明は、請求項１〜５のいずれか一項に記載の発明において、面体をプレスして面体の輪郭により、第１折り線と第２折り線とが形成してあることを特徴とする。
【発明の効果】
【００１４】
請求項１に記載の発明によれば、押し込み部を内側に押し込んで取手孔を形成し、指を取手孔に挿入して外装箱を持ち運ぶが、取手孔には、第１折り線と第２折り線とで指受け面を形成しているので、指は指受け面の面部に当り指が痛くなり難い。
【００１５】
指受け面に外装箱に作用する加重が集中するが、指受け面は指受け面の面部で荷重を受けるので、折り部に作用する応力に対向することができ、取手強度を高めることができる。
【００１６】
請求項２に記載の発明によれば、請求項１に記載の発明と同様な効果を得ることができるとともに、第１折り線を円弧にすることにより、折込を案内しやすく且つ円弧により指受け面の形状保持が出来、応力を分散しやすいので折り部の強度を高めることができる。
【００１７】
請求項３に記載の発明によれば、請求項１に記載の発明と同様な効果を得ることができるとともに、第１折り線と第２折り線との間にある指受け面は、指が当る略中央部の幅を広くとることができ、指が当たる面積を広くできるので、更に指が痛くなり難く且つ折り部の強度を更に高めることができる。また、第１及び第２折り線による罫線や切り込み線の両端が重なりすぎると、その箇所に応力が集中しやすくなり、強度が弱くなるが、この発明では両端に応力が集中し難くいので強度を高めることができる。
【００１８】
請求項４に記載の発明によれば、請求項１〜３のいずれか一項に記載の発明と同様な効果を得ることができるとともに、第２折り線を複数形成することにより、指の受け面を指の表面に沿って指に広く当てることができ、更に指が痛くなり難く、且つ指の受ける面積を広く取ることができる。から指受け面の応力集中を更に低減できる。
【００１９】
請求項５に記載の発明によれば、請求項１〜３のいずれか一項に記載の発明と同様な効果を得ることができるとともに、補助切欠きにより押し込み部を外装箱内側に押し込み易くなり取手孔を形成し易いと共に指受け面を形成しやすい。
【００２０】
請求項６に記載の発明によれば、請求項１〜５のいずれか一項に記載の発明と同様な効果を得ることができるとともに、第１及び第２折り線は面体をプレスすることにより容易に形成でき、第１折り線及び第２折り線の形成が容易にできる。
【発明を実施するための最良の形態】
【００２１】
以下に、添付図面を参照しながら本発明の実施の形態を詳細に説明するが、まず図１〜図４を参照して本発明の第１実施の形態について説明する。図１は図３のＡ部を拡大して示す平面図であり、図２は図１の押し込み部を押し込んで指で外装体を持ち運ぶ状態を示したものであり図１のＢ―Ｂ断面図である。また、図３は本実施の形態にかかる外装箱の展開図であり、図４は図３に示す展開図を組み立てた状態を示す外装箱の斜視図である。
【００２２】
本実施の形態にかかる外装箱１は、飲料缶６個を収納する紙製の包装体であり、図３に示す展開紙を上側主折り線３、５と下側主折り線７、９とを山折にし、係止片１１を対向する係止孔１３に係止して略直方体形状に形成するものである。この展開紙を組み立て状態では、図４に示すように、上側主折り線３、５間に上面部１５を形成し、上側主折り線３と下側主折り線９との間及び上側主折り線５と下側主折り線７との間に左右の側面部１７、１７を形成しており、下側主折り線７、９間に底面部１９を形成している。
【００２３】
上面部１５には、対向する位置に取手部２１、２１が設けられており、各取手部２１、２１に指Ｓを挿入して、外装箱１を持ち運びできるようになっている。更に、上面部１５には、一方及び他方のいずれからも破断可能な切り取り部２２が設けられている。
【００２４】
各取手部２１は、略円形状の押し込み部２３を外装箱１の内側に押し込んで取手孔２５を形成するものである。この押し込み部２３の周囲には、折り部２７を残して周囲を囲む円弧状の切れ目２９が形成されている。
【００２５】
折り部２７には、切れ目２９の両端間に形成されて折り込みを案内する第１折り線３１と第１折り線３１に並んで形成した第２折り線３３とが形成されている。本実施の形態では、第１折り線３１は略直線状であり、第２折り線３３は円弧状になっている。第１折り線３１と第２折り線との間が指受け面３７である。
【００２６】
また、第１折り線３１と第２折り線３３との両端側には、切れ目２９に連続する補助切欠き３５が形成されており、折り部２７の指受け面３７を外装箱１の内側に折り曲げ易くなっている。
【００２７】
切り取り部２２には、その両側に略への字形状の切り込み３９が形成されており、切り取り部２２の切り取りを案内している。この切り込み３９は切り取り部２２の両側端部４１では次第に広がる方向に形成されており、略中央部４３では両側の切り込み３９が平行となる方向に形成されている。
【００２８】
尚、第１折り線３１と第２折り線３３とは線条部材をプレスして形成しているが、面体をプレスして面に輪郭により形成するものであってもよい。このような面体のプレスにより第１折り線３１と第２折り線３３とを形成すれば、これらの折り線３１、３３の形成が容易にできる。
【００２９】
次に、本実施の形態にかかる外装箱１の組み立て及び作用について説明する。図３に示す展開紙の組み立ては、上側主折り線３、５及び下側主折り線７、９を山折りにし、係止片１１を係止孔１３に係止して、図４に示すような略直方体に形成し、飲料缶を６本収納した状態でフラップ４５を内側に折り曲げる。
【００３０】
飲料缶を収納してある外装箱１を持ち運ぶ場合には、押し込み部２３を切れ目２９から離し且つ第１折り線３１及び第２折り線３３を外装箱１の内側に山折りするようにして折り曲げ、押し込み部２３を外装箱１の内側に押し込む。これにより取手孔２５が第２折り線３３と切れ目２９とで囲まれる内周側に形成される。
【００３１】
そして、取手孔２５に指Ｓを挿入して指受け面３７に指Ｓを当てて外装箱１を持ち運ぶ。
【００３２】
指受け面３７は、第１折り線３１と第２折り線３３とで囲まれた面積を有しており、外装箱１に作用する加重を面で受けることができ、指が痛くなり難い。
【００３３】
また、外装箱１に作用する加重は指受け面３７の面で受けることができるから、取手部２１に作用する応力を面で分散するので取手部２１の強度を高めることができ、取手部２１、特に折り部２７における破断や損傷を防止できる。
【００３４】
以下に本発明の他の実施の形態について説明するが、以下に説明する実施の形態において、上述した第１実施の形態と同一の作用効果を奏する部分には同一の符号を付することによりその部分の詳細な説明を省略し、第１実施の形態と異なる点を主に説明する。
【００３５】
図５に第２実施の形態を示す。この第２実施の形態では、補助切欠き３５を切れ目２９の両端部に形成していない点が、上述した第１実施の形態と異なる。この第２実施の形態においても、上述した第１実施の形態と同様な作用効果を得ることができる。
【００３６】
図６に本発明の第３実施の形態を示す。この第３実施の形態では、第１折り線３１及び第２折り線３３を共に凹みを対抗して配置した湾曲形状としているとともに、押し込み部２３に三角形状の折り線４６を形成している。この第３実施の形態においても、上述した第１実施の形態と同様な作用効果を得ることができるとともに、指受け面３７を更に広く形成することができる。また、三角形状の折り線４６を形成することにより押し込み部２３が押し込み易い。
【００３７】
図７に本発明の第４実施の形態を示す。この第４実施の形態では、第２折り線３１を２本設けたものであり、指受け面３７に折り目を形成することができる。この第４実施の形態においては、上述した第１実施の形態と同様な作用効果を得ることができるとともに、指受け面に折り目を形成することで、指の表面形状、例えば関節から曲がる指Ｓに対応して指Ｓとの当接面積を広くとることができるとともに指Ｓになじみ易い。
【００３８】
本発明は、上述した実施の形態に限定されず、その要旨を逸脱しない範囲内において、種々の変形が可能である。
【００３９】
例えば、取手部２１の形状は、略円形等に限定されず、略四角形状等であってもよい。
【００４０】
また、第１及び第２折り線３１、３３の形状は直線状や湾曲形状に限定されず、波型等であってもよい。
【００４１】
更に、外装箱１は、６本の飲料缶を収納するものに限らず、２０本以上を収納するような直方体形状の段ボール箱であっても良い。
【図面の簡単な説明】
【００４２】
【図１】図３のＡ部を拡大して示す平面図である。
【図２】図１の押し込み部を押し込んで指で外装体を持ち運ぶ状態を示したものであり、図１のＢ―Ｂ断面図である。
【図３】本実施の形態にかかる外装箱の展開図である。
【図４】図３に示す展開図を組み立てた状態を示す外装箱の斜視図である。
【図５】第２実施の形態にかかる取手部の平面図である。
【図６】第３実施の形態にかかる取手部の平面図である。
【図７】第４実施の形態にかかる取手部の平面図である。
【図８】従来の取手部の平面図である。
【図９】図８に示す取手部により外装体を持ち運ぶ状態を示した断面図である。
【符号の説明】
【００４３】
１      外装箱
２１    取手部
２３    押し込み部
２５    取手孔
２７    折り部
２９    切れ目
３１    第１折り線
３３    第２折り線
３５    補助切欠き
３７    指受け面
【図１】
2005082198.tif 000003
【図２】
2005082198.tif 000004
【図３】
2005082198.tif 000005
【図４】
2005082198.tif 000006
【図５】
2005082198.tif 000007
【図６】
2005082198.tif 000008
【図７】
2005082198.tif 000009
【図８】
2005082198.tif 000010
【図９】
2005082198.tif 000011